(57)【特許請求の範囲】
【請求項１】
仮のシンボル識別点を連続して検出する動作を開始時刻の異なるＫ系列に亘って各Ｎｉ回（Ｎｉ：自然数、ｉ＝０，１，…，Ｋ−１）実施し、仮のシンボル識別点を検出する仮のシンボル識別点検出手段と、
前記検出されたＮ0〜ＮK-1の総和個の仮のシンボル識別点のサンプル位置番号０〜Ｍ−１毎に度数を集計する計数手段と、
前記Ｍ倍（Ｍ：自然数）でオーバーサンプリングされた受信ベースバンド信号の、Ｌシンボル分（Ｌ：自然数）のサンプリング列から仮のシンボル識別点を検出し集計した度数の最も大きいサンプル位置番号を選択することにより、真のシンボル識別点のサンプル位置番号を決定する真のシンボル識別点選択手段と、
を備えたことを特徴とするシンボル識別点検出装置。
【請求項２】
前記仮のシンボル識別点を連続して検出するＫ系列の動作開始時刻が、前記Ｌの或る約数シンボル分に相当する時間ずつ互いに時間オフセットを持ち、且つ各Ｎｉ（ｉ＝０，１，…，Ｋ−１）が同一であることを特徴とする請求項１に記載のシンボル識別点検出装置。
【請求項３】
仮のシンボル識別点を連続して検出する動作を開始時刻の異なるＫ系列に亘って各Ｎｉ回（Ｎｉ：自然数、ｉ＝０，１，…，Ｋ−１）実施し、仮のシンボル識別点を検出する仮のシンボル識別点検出工程と、
前記検出されたＮ0〜ＮK-1の総和個の仮のシンボル識別点のサンプル位置番号０〜Ｍ−１毎に度数を集計する計数工程と、
前記Ｍ倍（Ｍ：自然数）でオーバーサンプリングされた受信ベースバンド信号の、Ｌシンボル分（Ｌ：自然数）のサンプリング列から仮のシンボル識別点を検出し集計した度数の最も大きいサンプル位置番号を選択することにより、真のシンボル識別点のサンプル位置番号を決定する真のシンボル識別点選択工程と、
を備えたことを特徴とするシンボル識別点検出方法。
【請求項４】
前記仮のシンボル識別点を連続して検出するＫ系列の動作開始時刻が、前記Ｌの或る約数シンボル分に相当する時間ずつ互いに時間オフセットを持ち、且つ各Ｎｉ（ｉ＝０，１，…，Ｋ−１）が同一であることを特徴とする請求項３に記載のシンボル識別点検出方法。
【請求項５】
仮のシンボル識別点を連続して検出する動作を開始時刻の異なるＫ系列に亘って各Ｎｉ回（Ｎｉ：自然数、ｉ＝０，１，…，Ｋ−１）実施し、仮のシンボル識別点を検出する仮のシンボル識別点検出手段と、
前記検出されたＮ0〜ＮK-1の総和個の仮のシンボル識別点のサンプル位置番号０〜Ｍ−１毎に度数を集計する計数手段と、
前記Ｍ倍（Ｍ：自然数）でオーバーサンプリングされた受信ベースバンド信号の、Ｌシンボル分（Ｌ：自然数）のサンプリング列から仮のシンボル識別点を検出し集計した度数の最も大きいサンプル位置番号を選択することにより、真のシンボル識別点のサンプル位置番号を決定する真のシンボル識別点選択手段と、
を備えたことを特徴とする移動無線装置。
【請求項６】
前記仮のシンボル識別点を連続して検出するＫ系列の動作開始時刻が、前記Ｌの或る約数シンボル分に相当する時間ずつ互いに時間オフセットを持ち、且つ各Ｎｉ（ｉ＝０，１，…，Ｋ−１）が同一であることを特徴とする請求項５に記載の移動無線装置。
【請求項７】
Ｍ倍（Ｍ：自然数）でオーバーサンプリングされた受信ベースバンド信号のＬシンボル分（Ｌ：自然数）のサンプリング列から仮のシンボル識別点を検出する仮のシンボル識別点検出手段と、
前記仮のシンボル識別点を連続して検出する動作を開始時刻の異なるＫ系列に亘って各Ｎｉ回（Ｎｉ：自然数、ｉ＝０，１，…，Ｋ−１）実施し、検出されたＮ0〜ＮK-1の総和個の仮のシンボル識別点のサンプル位置番号０〜Ｍ−１の度数分布を作成する計数手段と、
前記度数分布が或る連続するサンプル位置番号付近に偏っている場合には、その付近で最も尤もらしいサンプル位置番号を選択することにより真のシンボル識別点のサンプル位置番号を決定する真のシンボル識別点選択手段と、
を備えたことを特徴とするシンボル識別点検出装置。
【請求項８】
前記仮のシンボル識別点を連続して検出するＫ系列の動作開始時刻が、前記Ｌの或る約数シンボル分に相当する時間ずつ互いに時間オフセットを持ち、且つ各Ｎｉ（ｉ＝０，１，…，Ｋ−１）が同一である、ことを特徴とする請求項７に記載のシンボル識別点検出装置。
【請求項９】
Ｍ倍（Ｍ：自然数）でオーバーサンプリングされた受信ベースバンド信号のＬシンボル分（Ｌ：自然数）のサンプリング列から仮のシンボル識別点を検出する仮のシンボル識別点検出工程と、
前記仮のシンボル識別点を連続して検出する動作を開始時刻の異なるＫ系列に亘って各Ｎｉ回（Ｎｉ：自然数、ｉ＝０，１，…，Ｋ−１）実施し、検出されたＮ0〜ＮK-1の総和個の仮のシンボル識別点のサンプル位置番号０〜Ｍ−１の度数分布を作成する計数工程と、
前記度数分布が或る連続するサンプル位置番号付近に偏っている場合には、その付近で最も尤もらしいサンプル位置番号を選択することにより真のシンボル識別点のサンプル位置番号を決定する真のシンボル識別点選択工程と、
を備えたことを特徴とするシンボル識別点検出方法。
【請求項１０】
前記仮のシンボル識別点を連続して検出するＫ系列の動作開始時刻が、前記Ｌの或る約数シンボル分に相当する時間ずつ互いに時間オフセットを持ち、且つ各Ｎｉ（ｉ＝０，１，…，Ｋ−１）が同一である、ことを特徴とする請求項９に記載のシンボル識別点検出方法。
【請求項１１】
Ｍ倍（Ｍ：自然数）でオーバーサンプリングされた受信ベースバンド信号のＬシンボル分（Ｌ：自然数）のサンプリング列から仮のシンボル識別点を検出する仮のシンボル識別点検出手段と、
前記仮のシンボル識別点を連続して検出する動作を開始時刻の異なるＫ系列に亘って各Ｎｉ回（Ｎｉ：自然数、ｉ＝０，１，…，Ｋ−１）実施し、検出されたＮ0〜ＮK-1の総和個の仮のシンボル識別点のサンプル位置番号０〜Ｍ−１の度数分布を作成する計数手段と、
前記度数分布が或る連続するサンプル位置番号付近に偏っている場合には、その付近で最も尤もらしいサンプル位置番号を選択することにより真のシンボル識別点のサンプル位置番号を決定する真のシンボル識別点選択手段と、
を備えたことを特徴とする移動無線装置。
【請求項１２】
前記仮のシンボル識別点を連続して検出するＫ系列の動作開始時刻が、前記Ｌの或る約数シンボル分に相当する時間ずつ互いに時間オフセットを持ち、且つ各Ｎｉ（ｉ＝０，１，…，Ｋ−１）が同一である、ことを特徴とする請求項１１に記載の移動無線装置。
【発明の詳細な説明】
【０００１】
【発明の属する技術分野】
本発明は、携帯電話、簡易型携帯電話、業務用デジタル通信電話等へ適用されるシンボル識別点検出装置およびこれらの移動無線装置に関する。
【０００２】
【従来の技術】
図１６および図２〜図５を参照して、従来のシンボル識別点検出装置、シンボル識別点検出方法および移動無線装置について説明する。
【０００３】
図１６は、従来のシンボル識別点検出装置の構成図である。図１６においてシンボル識別点検出装置は、無線部のＩ側直交検波結果の入力端子１０１と、無線部のＱ側直交検波結果の入力端子１０２と、これらの入力端子１０１、１０２と接続されたＡ／Ｄ変換器１０３、１０４とを有して構成される。シンボル識別点検出手段１０５は、Ａ／Ｄ変換器１０３および１０４から入力されるサンプリングデータからシンボル識別点を検出する。
【０００４】
次に、図１６に示すように構成された従来のシンボル識別点検出装置の動作例を説明する。
【０００５】
Ｉ側直交検波結果１０１およびＱ側直交検波結果１０２は、それぞれ図２および図３に示すような、時刻ｔに関して連続な三角波形である。Ｉ側直交検波結果１０１はＡ／Ｄ変換器１０３に入力され、入力された波形はシンボルレートのＭ倍でオーバーサンプリングされ、図４に示すような離散的なサンプリングデータに変換される。図４において、符号Ｔはシンボル間隔、Ｔｓはサンプリング間隔、Ｓｎ（ｎ＝０，１，…，Ｍ−１）はサンプル位置番号ｎにおけるサンプルであり、図４はオーバーサンプリングレートがＭ＝８の例である。
【０００６】
一方、Ｑ側直交検波結果１０２は、Ａ／Ｄ変換器１０４に入力され、入力された波形はシンボルレートのＭ倍でオーバーサンプリングされ、図５に示すような離散的なサンプリングデータに変換される。図５において、Ｔはシンボル間隔、Ｔｓはサンプリング間幅、Ｓｎ（ｎ＝０，１，…，Ｍ−１）はサンプル位置番号ｎにおけるサンプルであり、図５はオーバーサンプリングレートがＭ＝８の例である。
【０００７】
次に、Ａ／Ｄ変換器１０３およびＡ／Ｄ変換器１０４から出力されるＩ側のサンプリングデータおよびＱ側のサンプリングデータのＬシンボル分、即ちＩ側とＱ側それぞれＬ×Ｍサンプルのデータがシンボル識別点検出手段１０５に入力され、このシンボル識別点検出手段１０５によってシンボル識別点が検出され、シンボル識別点のサンプル位置番号、即ちＳｎのｎの番号がシンボル識別点情報として得られる。
【０００８】
ここで、従来のシンボル識別点検出装置、シンボル識別点検出方法および移動無線装置の動作について、具体例を用いて更に詳しく説明する。
【０００９】
いま一例として、シンボル識別点検出装置が図１７に示すような無線フォーマットを受信する場合の、シンボル識別点の検出を考察する。図１７において、黒色で塗りつぶした部分は変調が施されていない非変調波であって、送信側のトレーニング等に使用される区間であり、且つ帯域制限された任意の波形が受信される区間である。ところで、任意の非変調波ではシンボル識別点の検出は出来ない。
【００１０】
また、図１７において、黒色で塗りつぶした部分以外の部分は変調波であって、何らかの変調が施されている波形が受信される区間であり、シンボル識別点の検出はこの区間における変調波の性質を用いて行われる。また、楕円で囲んだ部分は、サービスエリア内外の境界線近傍、低速フェージングあるいはシャドーウィング等によって受信電界レベルが小さくなっている区間と仮定し、その他の部分は受信電界レベルは十分に大きいものと仮定する。
【００１１】
また、図１７において、符号Ａ，Ｂ，ＣおよびＤで示す区間はそれぞれ、以下で説明する従来のシンボル識別点検出装置の動作の第１の例、第２の例、第３の例およびに第４の例に対応しており、シンボル識別点検出に用いるサンプリングデータの区間を示している。ここで、各区間は、無線フォーマツトのフレームタイミングと同期していない。しかし、これはシンボル識別点検出の際には、シンボル識別点検出手段１０５はフレームタイミングを知り得ないためであり、任意の時刻からのＬシンボル分のサンプリングデータによってシンボル識別点が検出される。
【００１２】
まず、第１の例として、１フレーム時間の１／４の時間に亘るサンプリングデータ、即ち１フレームが４Ｌシンボルであるときにシンボル識別点検出にＬシンボル分のサンプリングデータが用いられ、図１７の符号Ａで示される区間にてシンボル識別点検出が行われる場合の、従来のシンボル識別点検出装置の動作例を説明する。
【００１３】
この場合のシンボル識別点検出では、受信電界レベルが十分大きい区間Ａが用いられ、且つ変調波の区間が用いられている。このため、シンボル識別点検出手段１０５によるシンボル識別点の検出は、よい性能で行われる。
【００１４】
次に、第２の例として、１フレーム時間の１／４の時間に亘るサンプリングデータ、即ち１フレームが４Ｌシンボルであるときに、シンボル識別点検出にＬシンボル分のサンプリングデータが用いられ、図１７の符号Ｂで示される区間にてシンボル識別点検出が行われる場合の、従来のシンボル識別点検出装置の動作例を説明する。
【００１５】
この場合のシンボル識別点検出では、受信電界レベルが小さい区間Ｂが用いられている。このため、この区間Ｂは、変調波であるにもかかわらずシンボル識別点検出手段１０５が正常に動作する可能性が低くなり、シンボル識別点検出の性能は劣化する。
【００１６】
次に、第３の例として、１フレーム時間の１／４の時間に亘るサンプリングデータ、即ち１フレームが４Ｌシンボルであるときにシンボル識別点検出にＬシンボル分のサンプリングデータが用いられ、図１７の符号Ｃで示される区間にてシンボル識別点検出が行われる場合の、従来のシンボル識別点検出装置の動作例を説明する。
【００１７】
この場合のシンボル識別点検出では、区間Ｃの受信電界レベルが十分大きい区間が用いられているが、この区間Ｃには、変調波と非変調波が混在する。このため、非変調波によってシンボル識別点検出手段１０５が正常に動作する可能性が低くなり、シンボル識別点検出の性能は著しく劣化する。
【００１８】
次に、第４の例として、１フレーム時間の３／４の時間に亘るサンプリングデータ、即ち１フレームが４Ｌ／３シンボルであるときにシンボル識別点検出にＬシンボル分のサンプリングデータが用いられ、図１７の符号Ｄで示される区間Ｄにてシンボル識別点検出が行われる場合の、従来のシンボル識別点検出装置の動作例を説明する。
【００１９】
この場合のシンボル識別点検出では、区間Ｄには変調波と非変調波が混在している。このため、区間Ｄでは、変調波が含まれる時間の方が非変調波が含まれる時間と比較して長い。それにもかかわらず、この場合にも前記第３の例と同様に、非変調波によってシンボル識別点検出手段１０５が正常に動作する可能牲が低くなる。よって、シンボル識別点検出の性能は劣化する。
【００２０】
【発明が解決しようとする課題】
しかしながら、上記の従来技術のシンボル識別点検出装置では、Ｌシンボル分のサンプリングデータを用いたシンボル識別点の検出を１回しか行わない。このため、上記従来のシンボル識別点検出装置の第２の例に示した通り、サービスエリア内外の境界線近傍、低速フェージングあるいはシャドーウィング等によって受信電界レベルが小さくなっている場合には、シンボル識別点検出の性能は劣化する。
【００２１】
また、シンボル識別点検出は、変調の施されていない任意の非変調波に対しては行えない。このため、上記従来のシンボル識別点検出装置の第３の例に示した通り、シンボル識別点検出に用いられたサンプリングデータの中に変調波と非変調波が混在する場合には、非変調波によってシンボル識別点検出手段１０５が正常に動作する可能性が低くなり、シンボル識別点検出の性能は著しく劣化する。
【００２２】
また、上記従来のシンボル識別点検出装置、シンボル識別点検出方法および移動無線装置の第４の例に示した通り、シンボル識別点検出に用いられたサンプリングデータの中に変調波と非変調波が混在し、且つ、シンボル識別点検出に変調波の用いられている時間の方が非変調波の用いられている時間と比較して長い場合には、上記従来のシンボル識別点検出装置、シンボル識別点検出方法および移動無線装置の第３の例と比較して性能の劣化は少ない。しかし、非変調波のパターンによっては、いくら大きなＬを用いても誤ったシンボル識別点の検出しか出来なくなる可能性がある。
【００２３】
本発明は、上記課題に鑑みてなされたものであり、受信電界レベルが低く、且つ変調波と非変調波とが混在する場合に、より性能よくシンボル識別点の検出を可能とする、シンボル識別点検出装置、シンボル識別点検出方法および移動無線装置を提供することを目的とする。
【００２４】
【課題を解決するための手段】
本発明は、上記問題点を解決するため、以下の構成を採る。
【００２５】
上記目的を達成するために本発明では、従来の技術によるＬシンボル分のサンプリング列から検出されるシンボル識別点は仮の識別点とし、仮のシンボル識別点を連続して検出する動作を、開始時刻の異なるＫ系列に亘って各Ｎｉ回（Ｎｉ：自然数、ｉ＝０，１，…，Ｋ−１）実施し、検出されたＮ0〜ＮK-1の総和個の仮のシンボル識別点のサンプル位置番号の度数分布等より、真のシンボル識別点を選択する。
【００２６】
【発明の実施の形態】
請求項１記載のシンボル識別点検出装置に関する発明は、仮のシンボル識別点を連続して検出する動作を開始時刻の異なるＫ系列に亘って各Ｎｉ回（Ｎｉ：自然数、ｉ＝０，１，…，Ｋ−１）実施し、仮のシンボル識別点を検出する仮のシンボル識別点検出手段と、検出されたＮ0〜ＮK-1の総和個の仮のシンボル識別点のサンプル位置番号０〜Ｍ−１毎に度数を集計する計数手段と、Ｍ倍（Ｍ：自然数）でオーバーサンプリングされた受信ベースバンド信号の、Ｌシンボル分（Ｌ：自然数）のサンプリング列から仮のシンボル識別点を検出し集計した度数の最も大きいサンプル位置番号を選択することにより、真のシンボル識別点のサンプル位置番号を決定する真のシンボル識別点選択手段と、を備えた構成を採る。
【００２７】
本構成により、受信電界レベルが低い受信区間が含まれていたり、受信波に変調波と非変調波が混在したりする場合でも性能よくシンボル識別点を検出することが可能となる。また、連続した仮のシンボル識別点検出の各系列の開始時刻を適切に選択することにより、短時間でシンボル識別点を決定することが可能となる。特に、変調波と非変調波の混在する場合には、仮のシンボル識別点を連続して検出する動作を開始時刻の異なるＫ系列に亘って実施する。このため、ある系列でシンボル識別点が確定され難い場合でも、別の系列でそれが補われ、性能よくシンボル識別点を検出することが可能となる。
【００２８】
請求項２の発明において、請求項１記載のシンボル識別点検出装置は、仮のシンボル識別点を連続して検出するＫ系列の動作開始時刻が、Ｌの或る約数シンボル分に相当する時間ずつ互いに時間オフセットを持ち、且つ各Ｎｉ（ｉ＝０，１，…，Ｋ−１）が同一である構成を採る。この構成により、各系列に共通な演算をまとめて実施できるため、演算量および使用メモリ量を大幅に削減することが可能となる。
【００２９】
請求項３記載のシンボル識別点検出方法に関する発明は、仮のシンボル識別点を連続して検出する動作を開始時刻の異なるＫ系列に亘って各Ｎｉ回（Ｎｉ：自然数、ｉ＝０，１，…，Ｋ−１）実施し、仮のシンボル識別点を検出する仮のシンボル識別点検出工程と、検出されたＮ0〜ＮK-1の総和個の仮のシンボル識別点のサンプル位置番号０〜Ｍ−１毎に度数を集計する計数工程と、Ｍ倍（Ｍ：自然数）でオーバーサンプリングされた受信ベースバンド信号の、Ｌシンボル分（Ｌ：自然数）のサンプリング列から仮のシンボル識別点を検出し集計した度数の最も大きいサンプル位置番号を選択することにより、真のシンボル識別点のサンプル位置番号を決定する真のシンボル識別点選択工程と、を備えた構成を採る。
【００３０】
本構成により、受信電界レベルが低い受信区間が含まれていたり、受信波に変調波と非変調波が混在したりする場合でも性能よくシンボル識別点を検出することが可能となる。また、連続した仮のシンボル識別点検出の各系列の開始時刻を適切に選択することにより、短時間でシンボル識別点を決定することが可能となる。特に、変調波と非変調波の混在する場合には、仮のシンボル識別点を連続して検出する動作を開始時刻の異なるＫ系列に亘って実施する。このため、ある系列でシンボル識別点が確定され難い場合でも、別の系列でそれが補われ、性能よくシンボル識別点を検出することが可能となる。
【００３１】
請求項４の発明において、請求項３記載のシンボル識別点検出方法は、仮のシンボル識別点を連続して検出するＫ系列の動作開始時刻が、Ｌの或る約数シンボル分に相当する時間ずつ互いに時間オフセットを持ち、且つ各Ｎｉ（ｉ＝０，１，…，Ｋ−１）が同一である構成を採る。
【００３２】
請求項５記載の移動無線装置に関する発明は、仮のシンボル識別点を連続して検出する動作を開始時刻の異なるＫ系列に亘って各Ｎｉ回（Ｎｉ：自然数、ｉ＝０，１，…，Ｋ−１）実施し、仮のシンボル識別点を検出する仮のシンボル識別点検出手段と、検出されたＮ0〜ＮK-1の総和個の仮のシンボル識別点のサンプル位置番号０〜Ｍ−１毎に度数を集計する計数手段と、Ｍ倍（Ｍ：自然数）でオーバーサンプリングされた受信ベースバンド信号の、Ｌシンボル分（Ｌ：自然数）のサンプリング列から仮のシンボル識別点を検出し集計した度数の最も大きいサンプル位置番号を選択することにより、真のシンボル識別点のサンプル位置番号を決定する真のシンボル識別点選択手段と、を備えた構成を採る。
【００３３】
請求項６の発明において、請求項５記載の移動無線装置は、仮のシンボル識別点を連続して検出するＫ系列の動作開始時刻が、Ｌの或る約数シンボル分に相当する時間ずつ互いに時間オフセットを持ち、且つ各Ｎｉ（ｉ＝０，１，…，Ｋ−１）が同一である構成を採る。
【００３４】
請求項７記載のシンボル識別点検出装置に関する発明は、Ｍ倍（Ｍ：自然数）でオーバーサンプリングされた受信ベースバンド信号のＬシンボル分（Ｌ：自然数）のサンプリング列から仮のシンボル識別点を検出する仮のシンボル識別点検出手段と、仮のシンボル識別点を連続して検出する動作を開始時刻の異なるＫ系列に亘って各Ｎｉ回（Ｎｉ：自然数、ｉ＝０，１，…，Ｋ−１）実施し、検出されたＮ0〜ＮK-1の総和個の仮のシンボル識別点のサンプル位置番号０〜Ｍ−１の度数分布を作成する計数手段と、度数分布が或る連続するサンプル位置番号付近に偏っている場合には、その付近で最も尤もらしいサンプル位置番号を選択することにより真のシンボル識別点のサンプル位置番号を決定する真のシンボル識別点選択手段と、を備えた構成を採る。
【００３５】
本構成によれば、サンプル位置番号の度数の最も大きいサンプル位置番号を選択すると異なり、サンプル位置番号の度数の分布が偏っている付近で度数の大きいサンプル位置番号を選択する。このことにより、更に性能よくシンボル識別点を検出することが可能となる。
【００３６】
請求項８の発明において、請求項７記載のシンボル識別点検出装置は、仮のシンボル識別点を連続して検出するＫ系列の動作開始時刻が、Ｌの或る約数シンボル分に相当する時間ずつ互いに時間オフセットを持ち、且つ各Ｎｉ（ｉ＝０，１，…，Ｋ−１）が同一である構成を採る。これにより、各系列に共通な演算をまとめて実施できるため、演算量および使用メモリ量を大幅に削減することが可能となる。
【００３７】
請求項９記載のシンボル識別点検出方法に関する発明は、Ｍ倍（Ｍ：自然数）でオーバーサンプリングされた受信ベースバンド信号のＬシンボル分（Ｌ：自然数）のサンプリング列から仮のシンボル識別点を検出する仮のシンボル識別点検出工程と、仮のシンボル識別点を連続して検出する動作を開始時刻の異なるＫ系列に亘って各Ｎｉ回（Ｎｉ：自然数、ｉ＝０，１，…，Ｋ−１）実施し、検出されたＮ0〜ＮK-1の総和個の仮のシンボル識別点のサンプル位置番号０〜Ｍ−１の度数分布を作成する計数工程と、度数分布が或る連続するサンプル位置番号付近に偏っている場合には、その付近で最も尤もらしいサンプル位置番号を選択することにより真のシンボル識別点のサンプル位置番号を決定する真のシンボル識別点選択工程と、を備えた構成を採る。
【００３８】
本構成によれば、サンプル位置番号の度数の最も大きいサンプル位置番号を選択すると異なり、サンプル位置番号の度数の分布が偏っている付近で度数の大きいサンプル位置番号を選択する。このことにより、更に性能よくシンボル識別点を検出することが可能となる。
【００３９】
請求項１０の発明において、請求項９記載のシンボル識別点検出方法は、仮のシンボル識別点を連続して検出するＫ系列の動作開始時刻が、Ｌの或る約数シンボル分に相当する時間ずつ互いに時間オフセットを持ち、且つ各Ｎｉ（ｉ＝０，１，…，Ｋ−１）が同一である構成を採る。これにより、各系列に共通な演算をまとめて実施できるため、演算量および使用メモリ量を大幅に削減することが可能となる。
【００４０】
請求項１１記載の移動無線装置に関する発明は、Ｍ倍（Ｍ：自然数）でオーバーサンプリングされた受信ベースバンド信号のＬシンボル分（Ｌ：自然数）のサンプリング列から仮のシンボル識別点を検出する仮のシンボル識別点検出手段と、仮のシンボル識別点を連続して検出する動作を開始時刻の異なるＫ系列に亘って各Ｎｉ回（Ｎｉ：自然数、ｉ＝０，１，…，Ｋ−１）実施し、検出されたＮ0〜ＮK-1の総和個の仮のシンボル識別点のサンプル位置番号０〜Ｍ−１の度数分布を作成する計数手段と、度数分布が或る連続するサンプル位置番号付近に偏っている場合には、その付近で最も尤もらしいサンプル位置番号を選択することにより真のシンボル識別点のサンプル位置番号を決定する真のシンボル識別点選択手段と、を備えた構成を採る。
【００４１】
本構成によれば、サンプル位置番号の度数の最も大きいサンプル位置番号を選択すると異なり、サンプル位置番号の度数の分布が偏っている付近で度数の大きいサンプル位置番号を選択する。このことにより、更に性能よくシンボル識別点を検出することが可能となる。
【００４２】
請求項１２の発明において、請求項１１記載の移動無線装置は、仮のシンボル識別点を連続して検出するＫ系列の動作開始時刻が、Ｌの或る約数シンボル分に相当する時間ずつ互いに時間オフセットを持ち、且つ各Ｎｉ（ｉ＝０，１，…，Ｋ−１）が同一である構成を採る。これにより、各系列に共通な演算をまとめて実施できるため、演算量および使用メモリ量を大幅に削減することが可能となる。
【００４３】
以下、本発明の実施の形態について、図１〜図２０を用いて説明する。まず、図１〜図５を参照して本発明のシンボル識別点検出装置、シンボル識別点検出方法および移動無線装置について説明する。
【００４４】
図１は、本発明のシンボル識別点検出装置の構成図である。本図１において、本実施形態のシンボル識別点検出装置は、無線部のＩ側直交検波結果の入力端子１、無線部のＱ側直交検波結果の入力端子２、これらの入力端子１、２がそれぞれ接続され入力信号が入力されるＡ／Ｄ変換器３、４、このＡ／Ｄ変換器３および４から出力されるサンプリングデータから仮のシンボル識別点を検出する仮のシンボル識別点検出手段５、および計数手段６、真のシンボル識別選択手段７、を有して構成される。
【００４５】
上記の計数手段６は、仮のシンボル識別点のサンプル位置番号ｎが検出されるたびに、そのサンプル位置番号ｎに対応する度数カウンタｄ［ｎ］に１を加算する加算器である。また、真のシンボル識別点選択手段７は、度数カウンタｄ［ｎ］（ｎ＝０，１，…，Ｍ−１）の度数分布により、真のシンボル識別点のサンプル位置番号が選択される。なお、この選択方法は、以下に掲げる実施の形態１および実施の形態２において詳述する。
【００４６】
次に、図１に示すように構成された本発明のシンボル識別点検出装置の動作について説明する。
【００４７】
Ｉ側直交検波結果の信号１およびＱ側直交検波結果の信号２は、それぞれ図２および図３に示すような、時刻ｔに関して連続な三角波形である。Ｉ側直交検波結果の信号１は、Ａ／Ｄ変換器３に入力される。入力された信号１の波形はシンボルレートのＭ倍でオーバーサンプリングされ、図４に示すような離散的なサンプリングデータに変換される。図４中の符号において、Ｔはシンボル間隔、Ｔｓはサンプリング間幅、Ｓｎ（ｎ＝０，１，…，Ｍ−１）はサンプル位置番号ｎにおけるサンプルであり、オーバーサンプリングレートがＭ＝８の例を図４は示している。
【００４８】
一方、Ｑ側直交検波結果の信号２は、Ａ／Ｄ変換器４に入力される。入力された信号２の波形は、シンボルレートのＭ倍でオーバーサンプリングされ、図５に示すような離散的なサンプリングデータに変換される。図５において、Ｔはシンボル間隔、Ｔｓはサンプリング間隔、Ｓｎ（ｎ＝０，１，…，Ｍ−１）はサンプル位置番号ｎにおけるサンプルであり、オーバーサンプリングレートがＭ＝８の例を図５は示している。
【００４９】
次に、Ａ／Ｄ変換器３およびＡ／Ｄ変換器４から出力されるＩ側のサンプリングデータおよびＱ側のサンプリングデータのＬシンボル分、即ちＩ側とＱ側それぞれＬ×Ｍサンプルのデータが、仮のシンボル識別点検出手段５に入力され、このデータに基づき１回の仮のシンボル識別点検出手段５が動作する。
【００５０】
（実施の形態１）
実施の形態１のシンボル識別点検出装置、シンボル識別点検出方法および移動無線装置の動作例を、図６〜図１１を用いて説明する。
【００５１】
図６は実施の形態１のシンボル識別点検出のためのフロー図であり、ステップＳ１０１は、図１における仮のシンボル識別点検出手段５の動作に相当し、ステップＳ１０２は、図１における計数手段６の動作に相当する。また、ステップＳ１０３からステップＳ１０６までは、図１における真のシンボル識別点選択手段７の動作に相当する。
【００５２】
初めに、図６のフロー図を用いて、実施の形態１の動作の概略を説明する。
【００５３】
まず、シンボル識別点検出の動作に先立ち、計数手段６の度数カウンタｄ［ｎ］（ｎ＝０，１，…，Ｍ−１）がそれぞれ「０」にクリアされる。
【００５４】
ステップＳ１０１では、Ａ／Ｄ変換器３およびＡ／Ｄ変換器４から出力されるＩ側のサンプリングデータおよびＱ側のサンプリングデータのＬシンボル分が、仮の識別点検出手段５に入力され、仮のシンボル識別点のサンプル位置番号が「０」から「Ｍ−１」の中から１つ検出される。次にステップＳ１０２では、選択された仮のシンボル識別点のサンプル位置番号ｎに対応して、計数手段６の度数カウンタｄ［ｎ］に“１”が加算される。このステップＳ１０１とステップＳ１０２の動作は、Ｎ0〜ＮK-1の総和回だけ行われ、またこの動作は、開始時刻の異なる連続した仮のシンボル識別点検出のＫ系列について並列に実行される。この並列処理のため、シンボル識別点検出のための時間が比較的短時間で済むという利点がある。
【００５５】
次に、計数手段６に記録された仮のシンボル識別点のサンプル位置番号毎の度数０［ｎ］（ｎ＝０，１，…，Ｍ−１）が、真のシンボル識別点選択手段７に入力され、計数手段６の度数カウンタｄ［ｎ］（ｎ＝０，１，…，Ｍ−１）のうち、度数が最大であるものが探される（ステップＳ１０３）。
【００５６】
ステップＳ１０４において、度数が最大であるサンプル位置番号が１つであるかどうか確認され、もし１つであるならばステップＳ１０５に移行する。もし複数であるならばステップＳ１０６に移行する。
【００５７】
ステップＳ１０５では、度数が最大であるただ１つのサンプル位置番号が、真のシンボル識別点として選択され、シンボル識別点情報として出力される。
【００５８】
ステップＳ１０６では、度数が最大である複数のサンプル位置番号の中から、真のシンボル識別点がランダムに選択され、シンボル識別点情報として出力される。なお、仮のシンボル識別点を検出する時間に相当するＬシンボル、開始時刻の異なる連続した仮のシンボル識別点検出のＫ系列、および各系列での連続した仮のシンボル識別点検出回数Ｎｉ（ｉ＝０，１，…，Ｋ−１）を適切に設定することにより、ステップＳ１０６に移行する確率を低く出来る。このため、真のシンボル識別点がランダムに選択される確率も低く出来る。
【００５９】
次に実施の形態１の動作例を、具休的な受信フォーマツトおよび数値を与えて説明する。
【００６０】
いま、Ａ／Ｄ変換器３および４のオーバーサンプリングレートはＭ＝８とし、このときの真のシンボル識別点のサンプル位置番号は"４"であると仮定する。
【００６１】
図７、は本発明のシンボル識別点検出装置、シンボル識別点検出方法および移動無線装置が処理対象とする受信フォーマット例と、仮のシンボル識別点検出手段５が仮のシンボル識別点を検出する区間の例である。図７において、黒色で塗りつぶした部分は変調が施されていない非変調波であって、送信側のトレーニング等に使用される区間であり、且つ帯域制限された任意の波形が受信される区間である。また図７において、黒色で塗りつぶした部分以外の部分は変調波であって、何らかの変調が施されている波形が受信される区間である。
【００６２】
いま、１フレーム時間の１／４の時間に亘るサンプリングデータ、即ち１フレームが４Ｌシンボルであるときに１回の仮のシンボル識別点検出にＬ（Ｌ：偶数）シンボル分のサンプリングデータが用いられ、且つ４回連続した仮のシンボル識別点検出が２系列用意され、且つ２系列の開始時刻の時間オフセットがＬ／２シンボル分の時間であるような例を考える。この例は、２系列の各Ｎｉ（ｉ＝０，１）はいずれも４で同一であり、且つＬ／２はＬの約数となっている。
【００６３】
図７は、この例を図示したものであり、４回連続した仮のシンボル識別点検出の１系列目では、区間Ａ１１〜区間Ａ１４の各Ｌシンボル分のサンプリングデータから、４個の仮のシンボル識別点のサンプル位置番号が検出される。一方、４回連続した仮のシンボル識別点検出の２系列目は、Ｌ／２シンボル分の時間に相当する時間オフセットを持たせた区間Ａ２１〜区間Ａ２４の各Ｌシンボル分のサンプリングデータから、４個の仮のシンボル識別点のサンプル位置番号が検出される。即ち仮のシンボル識別点検出手段５によって合計８個の仮のシンボル識別点のサンプル位置番号が検出される。
【００６４】
さて、いま８個の仮のシンボル識別点のサンプル位置番号が、区間Ａ１１〜Ａ１４および区間Ａ２１〜Ａ２４において、それぞれ図８のように検出されたとする。この場合には、計数手段６の度数カウンタｄ［ｎ］（ｎ＝０，１，…，７）は図９のようになる。
【００６５】
図７において、区間Ａ１１、区間Ａ１４および区間Ａ２４は、それぞれの区間中にシンボル識別点検出の障害となる非変調波が含まれている。このため、仮のシンボル識別点検出手段５から得られる仮のシンボル識別点のサンプル位置番号の信頼性は、低いものとなる。いま、真のシンボル識別点のサンプル位置番号は４であるが、図８の例は区間Ａ１１、区間Ａ１４および区間Ａ２４の３区間での仮のシンボル識別点の検出結果が１となり、同時に誤っているという最悪のケースである。しかしこのとき、他の５区間分（区間Ａ１２、区間Ａ１３、および区間Ａ２１〜区間Ａ２３）の結果の信頼性は高い。このため、真のシンボル識別点選択手段７において、最も度数の大きいサンプル位置番号４が、真のシンボル識別点のサンプル位置番号として正しく選択される。この結果、図６において、ステップＳ１０４で「ＹＥＳ」が選択され、ステップＳ１０５に移行する。
【００６６】
もし、仮のシンボル識別点検出を１系列目のみで行った場合には、図８より、サンプル位置番号１および４が度数２で最大となる。このため、サンプル位置番号１または４が真のシンボル識別点のサンプル位置番号としてランダムに選択されてしまい、正しいシンボル識別点情報が出力されなくなる可能性がある。この結果、ステップＳ１０４で「ＮＯ」が選択され、ステップＳ１０６に移行する。これにより、適切な時間オフセットを持たせて２系列目の区間を設定することに効果があることがわかる。
【００６７】
次に、実施の形態１の仮のシンボル識別点検出手段５における演算方法について説明する。
【００６８】
図１０は、これまで説明してきた具休的な受信フォーマットおよび数値の例である図７と同じ条件を仮定した場合に、仮のシンボル識別点検出の演算方法に着目して図７を書き換えた図である。
【００６９】
図１０におけるＢ１〜Ｂ９は、仮のシンボル識別点を検出するために分割した演算単位であり、それらの時間は全て等しく、１系列目の区間Ａ１１〜Ａ１４と２系列目の区間Ａ２１〜Ａ２４との時間オフセット量、即ちＬ／２シンボル分の時間に相当する時間である。このような演算単位を設定できるのは、１系列目と２系列目をＬの或る約数シンボル分に相当する時間（この場合はＬ／２）だけ互いに時間オフセットを持たせたためである。
【００７０】
さて、仮のシンボル識別点検出手段５において、仮のシンボル識別点を検出する際には、例えば区間Ａ１１を用いる場合には、区間Ａ１１の先頭のサンプルから区間Ａ１１の最終のサンプルまでが用いられる。ところが、仮のシンボル識別点検出手段５が時系列のサンプルに対して加法的に実現されている場合には、区間Ｂ１および区間Ｂ２に分割して演算を行い、それらの演算結果の和から算出したシンボル識別点のサンプル位置番号と、区間Ａ１１で一括して算出した仮のシンボル識別点のサンプル位置番号は一致する。以下、区間Ａ１２〜区間Ａ１４、および区間Ａ２１〜区間Ａ２４を用いる場合にも、対応する区間Ｂ２〜区間Ｂ９の連続する２区間の演算結果の和から仮のシンボル識別点のサンプル位置番号を検出すれば、その結果は一致する。
【００７１】
いま、区間Ａ１１〜区間Ａ１４、および区間Ａ２１〜区間Ａ２４の全８区間のそれぞれで一括して仮のシンボル識別点を検出する場合には、シンボル識別点検出手段５で８Ｌシンボル分の演算が必要となる。
【００７２】
一方、区間Ｂ１〜区間Ｂ９に分割して演算を行い、区間Ａ１１〜区間Ａ１４、および区間Ａ２１〜区間Ａ２４に対応した区間Ｂ１〜区間Ｂ９の連続する２区間の演算結果の和により、区間Ａ１１〜区間Ａ１４、および区間Ａ２１〜区間Ａ２４での仮のシンボル識別点を検出する場合には、シンボル識別点検出手段５では、（（４Ｌ＋Ｌ／２）＋α）シンボル分の演算を行うだけでよい。ここで記号αは演算量を表し、区間Ａ１１〜区間Ａ１４、および区間Ａ２１〜区間Ａ２４に対応した、区間Ｂ１〜区間Ｂ９の連続する２区間の演算結果の和を求める際に必要な演算量である。この演算量αは、Ｌに比べて無視できるほど十分に小さい。
【００７３】
以上より、図１０の例では、演算区間を分割して仮のシンボル識別点のサンプル位置番号を検出する場合、演算に関しては一括して演算を行う場合の約９／１６にでき、シンボル識別点検出性能を維持しながら、大幅な演算量削減が図られる。またそれに伴い使用メモリ量も削減できる。
【００７４】
さて、実施の形態１での受信フォーマットは図７を仮定したが、図１１のような場合にも効果がある。
【００７５】
図１１において、全ての受信波は変調波であって、何らかの変調が施されている波形が受信されている。また、楕円で囲んだ部分は、サービスエリア内外の境界線近傍、低速フェージングあるいはシャドーウィング等によって受信電界レベルが小さくなっている区間と仮定し、その他の部分は受信電界レベルは十分に大きいものと仮定する。
【００７６】
図１１の受信電界レベルが小さくなっている区間が、仮のシンボル識別点検出に用いられる場合には、仮のシンボル識別点検出手段５から出力される仮のシンボル識別点のサンプル位置番号の信頼度が低くなる。しかし、伝搬路条件はシステムによってある程度予測できる。このため、仮のシンボル識別点を検出する時間に相当するＬシンボル、開始時刻の異なる連続した仮のシンボル識別点検出のＫ系列、および各系列での連続した仮のシンボル識別点検出回数Ｎｉ（ｉ＝０，１，…，Ｋ−１）を適切に設定することにより、性能よくシンボル識別点を検出することが出来る。図１１は、性能よく仮のシンボル識別点の検出をするための各設定の一例を示している。
【００７７】
（実施の形態２）
実施の形態２のシンボル識別点検出装置、シンボル識別点検出方法および移動無線装置の動作例を、図１２〜図１５を用いて説明する。
【００７８】
図１２は実施の形態２のシンボル識別点検出のためのフロー図であり、ステップＳ２０１は、図１における仮のシンボル識別点検出手段５の動作に相当し、ステップＳ２０２は、図１における計数手段６の動作に相当する。また、ステップＳ２０３からステップＳ２０６までは、図１における真のシンボル識別点選択手段７の動作に相当する。
【００７９】
初めに、図１２のフロー図を用いて、実施の形態２の動作の概略を説明する。
【００８０】
まず、シンボル識別点検出の動作に先立ち、計数手段６の度数カウンタｄ［ｎ］（ｎ＝０，１，…，Ｍ−１がそれぞれ"０"にクリアされる。
【００８１】
ステップＳ２０１では、Ａ／Ｄ変換器３およびＡ／Ｄ変換器４から出力されるＩ側のサンプリングデータおよびＱ側のサンプリングデータのＬシンボル分が、仮の識別点検出手段５に入力され、仮のシンボル識別点のサンプル位置番号が０からＭ−１の中から１つ検出される。次にステップＳ２０２では、選択された仮のシンボル識別点のサンプル位置番号ｎに対応して、計数手段６の度数カウンタｄ［ｎ］に１が加算される。このステップＳ２０１とステップＳ２０２の動作は、Ｎ0〜ＮK-1の総和回だけ行われ、またこの動作は、開始時刻の異なる連続した仮のシンボル識別点検出のＫ系列について並列に実行される。この並列処理のため、シンボル識別点検出のための時間が比較的短時間で済む利点がある。
【００８２】
次に、計数手段６に記録された仮のシンボル識別点のサンプル位置番号毎の度数ｄ［ｎ］（ｎ＝０，１，…，Ｍ−１）が、真のシンボル識別点選択手段７に入力され、度数ｄ［ｎ］（ｎ＝０，１，…，Ｍ−１）から、或る連続するサンプル位置番号付近に度数分布が偏っているかどうかが探される（ステップＳ２０３）。
【００８３】
ステップＳ２０４において、度数分布が偏っている箇所が１箇所であるかどうかが確認され、もし１簡所であるならばステップＳ２０５に移行する。もし複数箇所であるならばステップＳ２０６に移行する。
【００８４】
ステップＳ２０５では、１箇所の度数分布が偏っていたサンプル位置番号付近から、最も尤もらしいサンプル位置番号が真のシンボル識別点のサンプル位置番号として選択され、シンボル識別点情報として出力される。
【００８５】
ステップＳ２０６では、複数箇所の度数分布が偏っていたサンプル位置番号付近の各々から、最も尤もらしいサンプル位置番号が選択され、さらにこれらのサンプル位置番号の中から、真のシンボル識別点がランダムに選択され、シンボル識別点情報として出力される。なお、仮のシンボル識別点を検出する時間に相当するＬシンボル、開始時刻の異なる連続した仮のシンボル識別点検出のＫ系列、および各系列での連続した仮のシンボル識別点検出回数Ｎｉ（ｉ＝０，１，…，Ｋ−１）を適切に設定することにより、ステップＳ２０６に移行する確率を低く出来る。このため、真のシンボル識別点がランダムに選択される確率も低く出来る。
【００８６】
次に実施の形態２の動作例を、具休的な数値を与えて説明する。なお、実施の形態２は、実施の形態１と比較して、仮のシンボル識別点検出が全て終了後の計数手段６に格納された度数ｄ［ｎ］（ｎ＝０，１，…，Ｍ−１）の扱いが異なるだけである。そこで、以後では、仮のシンボル識別点検出が全て終了後の計数手段６に格納された度数ｄ［ｎ］（ｎ＝０，１，…，Ｍ−１）の処理、即ち真のシンボル識別点選択手段７の動作のみに着目して説明する。
【００８７】
いま、Ａ／Ｄ変換器３および４のオーバーサンプリングレートはＭ＝８とし、このときの真のシンボル識別点のサンプル位置番号は４であると仮定する。このとき、Ｌシンボル分のサンプリングデータから仮のシンボル識別点検出が行われ、設定された１０区間による仮のシンボル識別点検出が終了し、計数手段６の仮のシンボル識別点のサンプル位置番号の度数６［ｎ］（ｎ＝０，１，…，Ｍ−１）が、図１３のようになったとする。
【００８８】
この場合には、仮のシンボル識別点のサンプル位置番号の度数分布が、明らかにサンプル位置番号４と５の付近に偏っており、度数分布が偏っている箇所は１箇所である。よって、ステップＳ２０４で「ＹＥＳ」を選択しステップＳ２０５に移行する。サンプル位置番号４と５の度数を比較すると、サンプル位置番号４の度数の方が大きいので、最も尤もらしいサンプル位置番号は"４"であ
り、サ
ンプル位置番号４が真のシンボル識別点のサンプル位置番号として選択され、シンボル識別点情報として出力される。
【００８９】
また、上記の同条件で、計数手段６の仮のシンボル識別点のサンプル位置番号の度数ｄ［ｎ］（ｎ＝０，１，…，Ｍ−１）が、図１４のようになったとする。この場合には、仮のシンボル識別点のサンプル位置番号の度数分布が、サンプル位置番号３から５の付近に偏っており、度数分布が偏っている箇所は１箇所である（ステップＳ２０４で「ＹＥＳ」を選択しステップＳ２０５に移行）。サンプル位置番号３から５の度数を比較すると、サンプル位置番号４の度数の方が最も大きいので、最も尤もらしいサンプル位置番号は４である。このためサンプル位置番号４が真のシンボル識別点のサンプル位置番号として選択され、シンボル識別点情報として出力される。
【００９０】
また、前記同条件で、計数手段６の仮のシンボル識別点のサンプル位置番号の度数ｄ［ｎ］（ｎ＝０，１，…，Ｍ−１）が、図１５のようになったとする。この場合には、仮のシンボル識別点のサンプル位置番号の度数分布が、サンプル位置番号０と１の付近、およびサンプル位置番号４と５の付近に偏っており、度数分布が偏っている箇所は２簡所である。よって、ステップＳ２０４で「ＮＯ」を選択しステップＳ２０６に移行する。サンプル位置番号０と１の度数を比較すると、サンプル位置番号０の度数の方が大きいので、サンプル位置番号０と１の付近から選択される最も尤もらしいサンプル位置番号は"０"である。
【００９１】
一方、サンプル位置番号４と５の度数を比較すると、サンプル位置番号４の度数の方が大きいので、サンプル位置番号４と５の付近から選択される最も尤もらしいサンプル位置番号は"４"である。
【００９２】
従って、ステップＳ２０６にて、サンプル位置番号０または４が真のシンボル識別点のサンプル位置番号としてランダムに選択され、シンボル識別点情報として出力される。
【００９３】
なお、仮のシンボル識別点を検出する時間に相当するＬシンボル、開始時刻の異なる連続した仮のシンボル識別点検出のＫ系列、および各系列での連続した仮のシンボル識別点検出回数Ｎｉ（ｉ＝０，１，…，Ｋ−１）を適切に設定することにより、ステップＳ２０６に移行する確率は低くなり、計数手段６の仮のシンボル識別点のサンプル位置番号の度数ｄ［ｎ］（ｎ＝０，１，…，Ｍ−１）が図１５のようになる確率は低い。
【００９４】
さて、もし実施の形態１の方法が図１４に適用された場合、度数が最大であるサンプル位置番号が２つある。このため、図６のステップＳ１０４で「ＮＯ」が選択されステップＳ１０６に移行することにより、誤ったサンプル位置番号０または正しいサンプル位置番号４がランダムに選択されてしまう。ところが本実施の形態２によれば、正しいサンプル位置番号４が選択される。
【００９５】
これは、真のシンボル識別点のサンプル位置番号（この場合４）から少しずれたサンプル位置番号（この場合３または５）を用いて受信信号の復調を行った場合にも受信性能はそれほど劣化せず、また実際、仮のシンボル識別点検出手段５では、真のシンボル識別点のサンプル位置番号だけでなく、真のシンボル識別点のサンプル位置番号から僅かにずれたサンプル位置番号が検出される可能性も高いという性質を利用したものである。これによって、更に性能のよいシンボル識別点検出が可能となる。
【００９６】
次に実施の形態２の仮のシンボル識別点検出手段５における演算方法について説明する。実施の形態２の仮のシンボル識別点検出手段５の演算方法についても、実施の形態１で説明した仮のシンボル識別点検出手段５における演算方法と同様であり、演算区間を分割して仮のシンボル識別点のサンプル位置番号を検出する場合、一括して演算を行う場合のシンボル識別点検出性能を維持しながら、大幅な演算量削減が図られる。またそれに伴い使用メモリ量も削減できる。
【００９７】
【発明の効果】
以上の説明より明らかなように、請求項１記載の発明によるシンボル識別点検出装置によれば、従来の技術によるＬシンボル分のサンプリング列から検出したシンボル識別点は仮の識別点とし、仮のシンボル識別点を連続して検出する動作を、開始時刻の異なるＫ系列に亘って各Ｎｉ回（Ｎｉ：自然数、ｉ＝０，１，…，Ｋ−１）実施し、検出されたＮ0〜ＮK-1の総和個の仮のシンボル識別点のサンプル位置番号０〜Ｍ−１毎に度数を集計し、度数の最も大きいサンプル位置番号を選択することで、従来の技術では間題となる変調波と非変調波の混在する場合、あるいは変調波の受信電界レベルが小さい区間を用いた場合のシンボル識別点検出性能の劣化を抑圧し、シンボル識別点検出性能を向上できる。また、仮のシンボル識別点を連続して検出する動作を、開始時刻の異なるＫ系列に分割して並列処理を行うため、シンボル識別点検出のための時間も比較的短時間で済む。
【００９８】
請求項２記載の発明によるシンボル識別点検出装置によれば、仮のシンボル識別点を連続して検出するＫ系列の動作開始時刻を、Ｌの或る約数シンボル分に相当する時間ずつ互いに時間オフセットを持たせ、且つ各Ｎｉ（ｉ＝０，１，…，Ｋ−１）が同一とすることで、請求項１に記載のシンボル識別点検出装置、シンボル識別点検出方法および移動無線装置と同等のシンボル識別点検出性能を維持しながら、大幅な演算量削減が図られ、更に使用メモリ量も削減できる。
【００９９】
請求項７記載の発明によるシンボル識別点検出装置によれば、真のシンボル識別点のサンプル位置番号の前後のサンプル位置番号を用いて受信信号の復調を行った場合にも受信性能はそれほど劣化しない。また、仮のシンボル識別点検出手段５では、真のシンボル識別点のサンプル位置番号だけでなく、真のシンボル識別点のサンプル位置番号から僅かにずれたサンプル位置番号が算出される可能性が高いという性質を利用し、得られたＮ0〜ＮK-1の総和個の仮のシンボル識別点のサンプル位置番号の度数分布が偏っている付近で、最も尤もらしいシンボル識別点のサンプル位置番号を真のシンボル識別点として選択する。このため、更に性能よくシンボル識別点の検出を行うことができる。
【０１００】
請求項８記載によるシンボル識別点検出装置によれば、仮のシンボル識別点を連続して検出するＫ系列の動作開始時刻を、Ｌの或る約数シンボル分に相当する時間ずつ互いに時間オフセットを持たせ、且つ各Ｎｉ（ｉ＝０，１，…，Ｋ−１）が同一とすることで、請求項７に記載のシンボル識別点検出装置と同等のシンボル識別点検出装置を維持しながら、大幅な演算量削減が図られ、更に使用メモリ量も削減できる。
【図面の簡単な説明】
【図１】本発明の一実施形態であるシンボル識別点検出装置の構成例を示したブロック図
【図２】Ｉ側直交復調結果の信号波形図
【図３】Ｑ側直交復調結果の信号波形図
【図４】シンボル識別点検出手段５への入力サンプリングデータＩの一例を示す図
【図５】シンボル識別点検出手段５への入力サンプリングデータＱの一例を示す図
【図６】実施の形態１の動作例を示すフロー図
【図７】実施の形態１の具体的な数値例で用いる受信フォーマットを示す図
【図８】図７を前提とした仮のシンボル識別点検出手段５の検出した仮のシンボル識別点のサンプル位置番号の例を示す図
【図９】図７を前提とした計数手段６での最終のサンプル位置番号の度数分布例を示す図
【図１０】仮のシンボル識別点検出の演算方法に着目して図７を書き換えた図
【図１１】実施の形態１を適用できる受信フォーマットの他の例を示す図
【図１２】実施の形態２の動作例を示すフロー図
【図１３】実施の形態２の計数手段６での最終のサンプル位置番号の度数分布例（１）を示す図
【図１４】実施の形態２の計数手段６での最終のサンプル位置番号の度数布例（２）を示す図
【図１５】実施の形態２の計数手段６での最終のサンプル位置番号の度数分布例（３）を示す図
【図１６】従来例のシンボル識別点検出装置の構成例を示すブロック図
【図１７】従来例の無線フォーマットを示す図
【符号の説明】
１  Ｉ側直交検波結果の信号の入力端子
２  Ｑ側直交検波結果の信号の入力端子
３  （Ｉ側信号用の）Ａ／Ｄ変換器
４  （Ｑ側信号用の）Ａ／Ｄ変換器
５  仮のシンボル識別点検出手段
６  計数手段
７  真のシンボル識別点選択手段
１０１  Ｉ側直交検波結果の信号の入力端子
１０２  Ｑ側直交検波結果の信号の入力端子
１０３  Ａ／Ｄ変換器
１０４  Ａ／Ｄ変換器
１０５  シンボル識別点検出手段
【図１】
0003981474.tif 000002
【図２】
0003981474.tif 000003
【図３】
0003981474.tif 000004
【図４】
0003981474.tif 000005
【図５】
0003981474.tif 000006
【図６】
0003981474.tif 000007
【図７】
0003981474.tif 000008
【図８】
0003981474.tif 000009
【図９】
0003981474.tif 000010
【図１０】
0003981474.tif 000011
【図１１】
0003981474.tif 000012
【図１２】
0003981474.tif 000013
【図１３】
0003981474.tif 000014
【図１４】
0003981474.tif 000015
【図１５】
0003981474.tif 000016
【図１６】
0003981474.tif 000017
【図１７】
0003981474.tif 000018